(57)【要約】  【課題】送信機がトリガーを発生する機能を持つようにし、送信機の構成を簡単とし、受信側で中継処理、演算処理等の複雑な処理を受け持つ。  【解決手段】データ送信の開始のトリガーを発生するスイッチおよびデータを送信する機能を持つデータ送信ユニットで構成する送信装置からデータを送信する。データ受信ユニット、データ処理部およびプログラムメモリによって構成される受信装置がデータを受信し、送受信されるデータが受信装置側のプログラムメモリアドレスまたはアドレスと一意に変換できるコードを含む。受信したアドレス上の命令が受信装置側で実行される。【選択図】図１
2013135360.tif 000002
【特許請求の範囲】
【請求項１】
データ送信の開始のトリガーを発生するスイッチおよびデータを送信する機能を持つデータ送信ユニットで構成する送信装置からデータを送信し、
データ受信ユニット、データ処理部およびプログラムメモリによって構成される受信装置がデータを受信し、
前記送受信されるデータが受信装置側のプログラムメモリアドレスまたはアドレスと一意に変換できるコードを含む通信システム。
【請求項２】
前記送信装置が複数の前記スイッチを有し、
前記送受信されるデータが前記スイッチの識別子を含む請求項１に記載の通信システム。
【請求項３】
受信した前記アドレス上の命令を前記受信装置側で実行する請求項１に記載の通信システム。
【請求項４】
前記アドレスが前記受信装置のデータベース上にあるか否かを照合することによって、送信データを認証する請求項１に記載の通信システム。
【請求項５】
前記識別子と前記アドレスの組が受信装置のデータベース上にあるか否かを照合することによって、送信データを認証する請求項２に記載の通信システム。
【請求項６】
１以上の発電部と、
前記発電部の発電電力が所定のしきい値以上に達すると、動作するスイッチと、
前記スイッチの動作に応じた情報を送信する送信部と
を備える送信装置。
【請求項７】
前記発電部が指輪状である請求項６に記載の送信装置。
【請求項８】
前記発電部の内面に指から外すことによって動作するスイッチを設ける請求項７に記載の送信装置。
【請求項９】
前記発電部として、集光レンズを有する太陽電池を配する請求項７に記載の送信装置。
【請求項１０】
前記発電部の発電電力が所定のしきい値以上に達すると、前記発電部に対応するスイッチがスイッチ動作される請求項６に記載の送信装置。
【請求項１１】
１以上の発電部と、
前記発電部の発電電力が所定のしきい値以上に達すると、動作するスイッチと、
前記スイッチの動作に応じた情報を送信する送信部とを備える送信装置と、
前記送信装置からの情報を受信する受信部、または前記受信部からデータが転送される機器において、前記受信した情報に応じて処理を行う受信装置とを有する通信システム。
【請求項１２】
前記発電部が振動によって発電を行い、前記発電部の発電電力が所定のしきい値以上に達すると、前記送信装置が前記受信装置に対してデータを送信し、前記受信装置でデータを受信すると計数データを更新する請求項１１に記載の通信システム。
【請求項１３】
前記発電部が振動によって発電を行い、前記発電部の発電電力が所定のしきい値以上に達すると、前記送信装置が前記受信装置に対してデータを送信し、前記受信装置でデータを受信すると、所定時間内に受信したデータ数から制御コマンドを決定する請求項１１に記載の通信システム。
【請求項１４】
データ送信の開始のトリガーを発生するスイッチおよびデータを送信する機能を持つデータ送信ユニットで構成する送信装置からデータを送信し、
データ受信ユニット、データ処理部およびプログラムメモリによって構成される受信装置がデータを受信し、
前記受信装置が受信したデータを、受信装置側でより情報量の多い所定のデータに変換し、変換したデータネットワークを通じて他の装置に送信する通信システム。
【請求項１５】
前記受信装置が位置情報取得部を有し、前記受信装置が前記位置情報が付加されたデータを前記他の装置に送信し、前記他の装置が前記送信装置の位置を把握する請求項１４に記載の通信システム。
【請求項１６】
前記送信装置からの信号は送信装置所有者の緊急信号であり、受信装置が携帯端末であり、
前記受信装置が位置情報取得部を有し、前記受信装置が前記位置情報が付加されたデータを公衆回線を通じて前記他の装置に送信し、前記他の装置が前記送信装置の位置を把握する請求項１４に記載の通信システム。
【請求項１７】
前記受信装置が中継した回数またはデータ量に応じて、受信装置の所有者にサービスポイントを付与する請求項１６に記載の通信システム。
【発明の詳細な説明】
【技術分野】
【０００１】
本開示は、簡単な構成を有し、簡単な処理によって、情報を送信できる送信装置、送信装置および送信装置からの情報を受信する受信装置からなる通信システムに関する。
【背景技術】
【０００２】
スマートフォン等の携帯端末が広く普及している。携帯端末の高機能化に伴って、装置のハードウェアが複雑となり、処理も複雑化している。携帯する上で、より小型、軽量なウェアラブル通信端末の需要が高まりつつある。ウェアラブル通信端末は、電話機能のみならず、緊急時の通報、ゲーム用アクセサリ、ヘルスケア用機器等に適している。しかしながら、ウェアラブル通信端末のような超小型端末に適した通信システムは、未だ確立されていない。
【０００３】
例えば特許文献１（特開２００５−０８００２９号公報）には、緊急指令を正確且つ迅速に伝達することを目的とする緊急指令システム、メール配信方法が記載されている。緊急指令メールは、発信用携帯端末装置から中継・配信用の移動体通信端末装置に無線で送信され、さらに、受信用携帯端末装置に無線で送信される。
【０００４】
特許文献２（特開２００８−１６１６４１号公報）では、ユーザの心電信号を取り出し、ＧＰＳ(Global Positioning System) 内蔵の携帯端末によって、ユーザの身体的状況のデータと現在位置とを情報センターに送信する。そして、情報センターがユーザの現在地と近くの医療提供者などに救助を求めることができるシステムが記載されている。
【０００５】
特許文献２に記載の例では、人体に埋め込み式、または常時携帯型の心電計を取り付け、心電信号および体温の測定を行い、情報を送信するための送信機をとりつけ２４時間観察している。そして、心拍変動、不整脈などの異常が発生した場合に、ＧＰＳ内蔵の携帯端末から情報センターへ自動的に通報が行なわれ、救助が迅速に行なわれる。
【０００６】
さらに、特許文献３（特開２００５−３５４８２３号公報）では、機械的なエネルギーを利用して救命発信を行うことが記載されている。すなわち、特許文献３に記載のものは、バッテリレスなウェアラブル通信機器ある。
【先行技術文献】
【特許文献】
【０００７】
【特許文献１】特開２００５−０８００２９号公報
【特許文献２】特開２００８−１６１６４１号公報
【特許文献３】特開２００５−３５４８２３号公報
【発明の概要】
【発明が解決しようとする課題】
【０００８】
特許文献１の記載のものでは、発信用携帯端末装置が全情報を送る必要があり、送信側のメモリ量が大きくなる可能性がある。
【０００９】
特許文献２に記載のものは、下記のような問題を有する。
・心電信号などから、携帯電話内でのアプリケーション等で、異常を察知し、察知した場合に自動通報にいたるとされているが、不整脈の人などが使用すると、誤通報が非常に多くなってしまう。
・心電信号と体温が正常範囲内であれば、他の健康上の不具合は検出できない。例えば、両足骨折して動けない場合などを検出できない。
・実際の理想的な運用例としては、やはり体内に何らかのセンサを埋め込んで、２４時間データを確認するようなシステムが提案されている。しかしながら、常時監視が必要なほど重篤な病人ならばともかく、一般の健常者がすすんでセンサを体に付けて生活するとは考えられず、実用的ではない。
【００１０】
特許文献３の例は、救命発信の電力を得るためにハンドルの回転を必要とする。しかしながら、この方法は、緊急時の操作に時間がかかり、ユーザーが途中で力尽きてしまう可能性がある。
【００１１】
したがって、本開示は、これらの問題点が解消された通信システムおよび送信装置の提供を目的とする。
【課題を解決するための手段】
【００１２】
上述の課題を解決するために、本開示は、データ送信の開始のトリガーを発生するスイッチおよびデータを送信する機能を持つデータ送信ユニットで構成する送信装置からデータを送信し、
データ受信ユニット、データ処理部およびプログラムメモリによって構成される受信装置がデータを受信し、
送受信されるデータが受信装置側のプログラムメモリアドレスまたはアドレスと一意に変換できるコードを含む通信システムである。
【００１３】
本開示は、１以上の発電部と、
発電部の発電電力が所定のしきい値以上に達すると、動作するスイッチと、
スイッチの動作に応じた情報を送信する送信部と
を備える送信装置である。
【００１４】
本開示は、１以上の発電部と、
発電部の発電電力が所定のしきい値以上に達すると、動作するスイッチと、
スイッチの動作に応じた情報を送信する送信部とを備える送信装置と、
送信装置からの情報を受信する受信部、または受信部からデータが転送される機器において、受信した情報に応じて処理を行う受信装置とを有する通信システムである。
【００１５】
本開示は、データ送信の開始のトリガーを発生するスイッチおよびデータを送信する機能を持つデータ送信ユニットで構成する送信装置からデータを送信し、
データ受信ユニット、データ処理部およびプログラムメモリによって構成される受信装置がデータを受信し、
受信装置が受信したデータを、受信装置側でより情報量の多い所定のデータに変換し、変換したデータネットワークを通じて他の装置に送信する通信システムである。
【発明の効果】
【００１６】
本開示は、発電部を有しているので、電池を不要とでき、小型・軽量の送信機を構成できる。さらに、送信機は、スイッチによってデータ開始のトリガーを発生し、受信データの演算処理、受信データの中継等の複雑な処理は、受信機側が受け持つので、送信機をより簡単な構成とできる。
【図面の簡単な説明】
【００１７】
【図１】本開示による通信システムの概略的ブロック図である。
【図２】本開示による通信システムにおける送信機の一例のブロック図である。
【図３】本開示による通信システムにおける受信機の一例のブロック図である。
【図４】本開示による通信システムの具体例のブロック図である。
【図５】本開示による通信システムの処理の流れを示すフローチャートである。
【図６】本開示による通信システムの処理の流れを示すフローチャートである。
【図７】本開示による送信機の具体例を示す拡大斜視図である。
【図８】本開示による送信機の回路構成の第１および第２の例を示すブロック図である。
【図９】本開示による送信機の回路構成の第３の例を示すブロック図である。
【図１０】本開示による送信機の回路構成の第４の例を示すブロック図である。
【図１１】本開示による通信システムの第１のアプリケーションの説明に用いるフローチャートである。
【図１２】本開示による通信システムの第２のアプリケーションの説明に用いるフローチャートである。
【図１３】本開示による通信システムの第３のアプリケーションの説明に用いるフローチャートである。
【図１４】本開示による通信システムの第４のアプリケーションの説明に用いるフローチャートである。
【図１５】本開示による通信システムの第５のアプリケーションの説明に用いるフローチャートである。
【発明を実施するための形態】
【００１８】
本開示の説明は、下記の項目の順序でなされる。
＜１．通信システム＞
＜２．第１のアプリケーション＞
＜３．第２のアプリケーション＞
【００１９】
＜１．通信システム＞
「通信システムの構成」
図１は、本開示が適用された通信システムを示す。通信システムは、データ送信の開始のトリガーを発生するスイッチおよびデータを送信する機能を持つデータ送信ユニットで構成する送信機１０１と、送信機１０１からのデータを受信するデータ受信ユニット、データ処理部およびプログラムメモリによって構成される受信機１０２とを有する。一例として、送信機１０１がユーザが装着する指輪状の外観を有する。受信機１０２は、受信機１０２は、受信データまたは関連データを公衆回線、並びに基地局、中継器、交換器等の中継装置１０３を介して、センター１０４に送信する機能を有する。センター１０４に限らず、中継装置１０３からのデータを受信する受信機１０５を設けても良い。
【００２０】
送信機１０１の構成例を図２に示す。発電部１１と、発電部１１と接続されるスイッチ１２と、無線送信機などのデータ送信ユニット１３を有する。さらに、ハンドシェイクをしたり受信機のＩＤを登録したりするために、データ受信ユニット１４と、送信データ、受信データを格納するためのメモリ１５が設けられている。
【００２１】
発電部１１が発電した電力によって送信機１０１の各部が動作し、送信機１０１に電池を搭載することが不要とされている。但し、装置全体に電力を供給するための蓄電素子や発電機があってもよい。発電部１１は、太陽光等の自然エネルギーにより発電を行う太陽電池等、振動等の物理エネルギーにより発電を行う振動発電部等である。さらに，発電部１１の発電量が一定以上になったらスイッチをトリガする構成にする場合もある。
【００２２】
受信機１０５の構成例を図３に示す。無線受信機などの通信ユニット２１、制御装置としてのＣＰＵ(Central Processing Unit)２２、命令メモリ２３、データメモリ２４を有
する。命令メモリ２３およびデータメモリ２４は、アドレス空間で管理されたメモリである。さらに、送信機１０１から受け取った情報、または関連した情報を公衆回線に中継するための通信ユニット２５を有する。さらに、位置情報を管理するためのＧＰＳ(Global
Positioning System)ユニット２６を搭載している。
【００２３】
送信機１０１の送信ユニット１３および受信ユニット１４と、受信装置１０２の通信ユニット２１とは、近距離無線技術に基づく無線通信を行う。具体的には、Bluetooth、UWB、ZigBee、NFC等を使用することができる。近距離無線技術以外の無線技術を使用しても
良い。
【００２４】
Bluetoothは、最大通信距離が１００メートルの近距離無線技術であり、周波数帯域と
して２．４ＧHzを使用する。UWB(Ultra Wide Band)は、超広帯域（３．１ＧHz〜１０．６Ｇ）を使用して１０メートル程度の距離で、最大４８０Ｍbpsの通信を行うことができる
。ZigBeeは、ZigBee Allianceが規格化を進めている近距離無線技術である。周波数帯域
として、２．４ＧHz、９０２〜９２８ＭHz、８６８〜８７０ＭHzを使用する。最大通信距離が９〜６９メートルとされている。NFC(Near Field Communication)は、１３．５６ＭHz帯の近距離無線技術である。複数の規格に分かれている非接触ＩＣカード技術の無線イ
ンターフェース部分を標準化したもので、非接触ＩＣカードに互換性を生じさせる。NFC
の標準化は、２段階で行われ、タイプＡとタイプＢとの二つの規格がある。送信ユニット１３および受信ユニット１４と、通信ユニット２１とは、これらの近距離無線技術の１または複数の方式に対応している。
【００２５】
さらに、受信機１０２の一例は、図４に示すように、携帯電話機、スマートフォン等であり、ＳＩＭカード(Subscriber Identity Module card)２８が装着されている。ＳＩＭ
カード２８は、電話番号を特定するための固有のＩＤが記録されたカードである。ＳＩＭカード２８が近距離無線技術の通信ＬＳＩ(Large Scale Integrated Circuit：大規模集
積回路)２７と接続され、通信ＬＳＩ２７に対して決済機能を実現するためのセキュリテ
ィＬＳＩ２９およびコントローラ３０が接続されている。コントローラ３０は、携帯電話機の全体の制御処理を行う。
【００２６】
送信機１０１の送信ユニット１３および受信ユニットが通信ＬＳＩ１６として構成されている。通信ＬＳＩ１６と通信ＬＳＩ３１との間で近距離無線技術による通信がなされる。通信ＬＳＩ１６は、リーダ／ライタの機能を有しており、通信ＬＳＩ３１から無線で電力の供給を受けるようにしても良い。受信側のＳＩＭカード３２によって、受信機１０２の通信ユニット２５が携帯電話回線を通じて送信機１０１から受信したデータを中継装置１０３を通じてセンター１０４または受信機１０５に送信することができる。
【００２７】
送信機１０１が送信するデータは、例えば、アプリ識別子、スイッチ識別子、受信機プログラムメモリアドレスの３種類の情報である。アプリ識別子は、アプリケーション固有の識別子であり、１６ビット、３２ビット、６４ビット等の長さを有する。スイッチ識別子は、スイッチ１２を識別する識別子であり、３２ビット、６４ビット等の長さを有する。スイッチ１２が常に１個の場合では、スイッチ識別子を省略しても良い。送信機１０１は、これらの情報を送信するための最小限の機能を有する。一方、複雑な制御は、受信機１０２側で行い、また、中継データの生成を受信機１０２側で行うようにする。
【００２８】
受信機プログラムメモリアドレスは、受信機１０２の命令メモリ２３のアドレスを指定する情報である。アドレス自身に限らず、アドレスに一意に変換できるコードであっても良い。受信機プログラムメモリアドレスは、例えば８ビット、１６ビット、３２ビット、６４ビット等の長さを有する。送信機１０１は、受信機プログラムメモリアドレスとして例えばプログラム開始命令のみを送るようにすることで、送信機の構成を簡易化できる。
【００２９】
さらに、送信機１０１が上述したアプリ識別子、スイッチ識別子、受信機プログラムメモリアドレスの３種類の情報のみを送信するので、通信データを固定ビット長化できる。したがって、通信手順も簡単となる。
【００３０】
「処理の流れ」
図５を参照して、本開示による通信システムの処理の流れについて説明する。ステップＳ１において、送信機１０１のスイッチ１２がトグルされる。ここで、トグルとは、スイッチ１２のオン動作またはオフ動作を意味する。スイッチ１２のトグルに応じたデータがステップＳ２において、送信ユニット１３から送信される。このステップＳ２までは、送信機１０１側の処理である。
【００３１】
ステップＳ３において、受信機１０２の通信ユニット２１が送信機１０１から発信されたデータを受信する。データを受信すると、ステップＳ４において、データ形式をチェックする。データ形式のチェックは、上述したアプリ識別子、スイッチ識別子、受信機プログラムメモリアドレスのデータが所定の順序と長さで配列されているか否かを判定することである。
【００３２】
データ形式が正しいと判定されると、ステップＳ５において、登録されている送信機か否かが判定される。ステップＳ４およびＳ５の判定結果が共に正しい場合には、送信機の認証が成立する。そして、ステップＳ６において、受信したデータに応じた処理を実行し、そして、処理が終了する。ステップＳ４またはステップＳ５の判定結果が否定の場合には、送信機の認証が成立しないので、処理が終了する。
【００３３】
ステップＳ６でなされる処理は、受信した受信機プログラムメモリアドレスで指示される命令メモリ２３上の命令を実行することを意味する。若し、受信機プログラムメモリアドレスが開始アドレスのみを含む場合には、開始アドレスから順次命令が実行される。
【００３４】
「既存の通信プロトコルの利用」
本開示では、通信データを固定ビット長化できるため、通信手順も簡単になる。通信手順を簡素化することで、例えば既存の下位層の通信プロトコルを容易に流用できる。
【００３５】
ＴＣＰ(Transmission Control Protocoll)／ＩＰ(Internet Protocol)を使用する場合
には、下記のように規定する。
アプリ識別子を１６ビットのポート番号として扱う。
スイッチ識別子を３２ビットまたは６４ビットのＩＰアドレスとして扱う。
プログラムメモリアドレスを８〜６４ビット程度のデータとして扱う。
【００３６】
Ethernet（登録商標）や無線ＬＡＮ(Local Area Network)（例えば（IEEE802.11）を使う場合には、下記のように規定する。
アプリ識別子を上位２４ビットのＭＡＣアドレスとして扱う。
スイッチ識別子を下位２４ビットのＭＡＣアドレスとして扱う。
プログラムメモリアドレスを８〜６４ビット程度のデータとして扱う。
【００３７】
「処理の流れ」
図６を参照して、プログラムメモリアドレスを使用する場合の通信システムの処理の流れについて説明する。ステップＳ１（送信機のスイッチのトグル）、ステップＳ２（送信ユニットからデータの発信）、ステップＳ３（通信ユニットのデータの受信）並びにステップＳ４（データ形式のチェック）の処理は、上述した図５の処理と同様である。
【００３８】
ステップＳ７において、認証がなされる。すなわち、ステップＳ７では、例えばスイッチごとのスイッチ識別子とプログラムメモリアドレスとの組が受信機のデータベースに登録されているか否かが判定される。スイッチ識別子とプログラムメモリアドレスとの組が受信機側に登録されていると確認できない場合には、認証が成立しないものと判定され、処理が終了する。認証が成功したら、ステップＳ８において、受信したプログラムメモリアドレスを命令メモリ２３の対応するメモリアドレスに変換する。そして、受信したプログラムメモリアドレスをプログラムカウンタにセットする（ステップＳ９）。ステップＳ１０において、変換されたメモリアドレス上の命令を受信機のＣＰＵ２２が実行する。受信したプログラムメモリアドレスが開始アドレスの場合には、プログラムカウンタがインクリメントして順次命令が実行される。なお、プログラムメモリアドレスが受信機のデータベースに登録されているか否かを判定して認証を行っても良い。
【００３９】
＜２．第１のアプリケーション＞
上述した通信システムに基づいて実現される第１のアプリケーションについて説明する。第１のアプリケーションは、送信機側から受信したデータをカウントすることによって所望の機能を実現するものである。
【００４０】
「ウェアラブル型送信機」
送信機１０１として、図７に示すような指輪状のウェアラブル型送信機３１が使用される。このウェアラブル型送信機３１は、内部に発電部例えば太陽電池と回路部とを備えている。ウェアラブル型送信機３１の外面には、集光レンズ３２が設けられ、集光レンズ３２を通った外光が内部の太陽電池に照射される。集光レンズ３２によって、小面積の受光部でも発電しやすいようにされている。
【００４１】
さらに、ウェアラブル型送信機３１の外面には、表示素子例えばＬＥＤ(Light Emitting Diode)３３ａおよび３３ｂが設けられている。これらのＬＥＤ３３ａ、３３ｂは、種々の表示に使用される。例えば受信機との接続（通信）を確立すると、ＬＥＤ３３ａが発光する。ウェアラブル型送信機３１の内面には、スイッチボタン３４が突出されている。ウェアラブル型送信機３１が指に装着されている状態では、スイッチボタン３４が押されている。ウェアラブル型送信機３１を指から外すと、スイッチボタン３４がリリースされ、スイッチボタン３４の動作と連動してスイッチがトグルされる。
【００４２】
なお、ウェアラブル型送信機３１の発電部は、太陽電池に限らず、周囲の環境に存在するエネルギーに基づいて発電するものである。発電部は、例えば、光や熱、振動、電波に基づいて発電する。これらのエネルギーは、自然界に存在するものに限られない。熱や振動には、例えば、ユーザの体表面の熱や、ユーザの動きに伴う振動が含まれる。さらに、異なるエネルギーにより発電を行う複数の発電部を設けても良い。
【００４３】
「ウェアラブル型送信機の回路構成」
ウェアラブル型送信機には、図８Ａに示すように、発電部が設けられている。発電素子４１の出力電圧がダイオード４２を介して蓄電素子４３に供給されると共に、出力端子４４に取り出される。蓄電素子４３は、キャパシタ、電池等である。発電素子４１として太陽電池を使用した場合、太陽電池の発電量は、変動が大きいので、蓄電素子４３に一旦蓄えることによって、安定した電圧を出力するようになされる。
【００４４】
図８Ｂに示すように、発電部の電圧をスイッチＳＷを介して出力端子４４に取り出すようにしても良い。スイッチＳＷは、上述したウェアラブル型送信機３１のスイッチボタン３４と連動してトグル（オン）動作するものである。例えばユーザがウェアラブル型送信機３１を指から外すと、スイッチＳＷがオンとなる。出力端子４４に対して、例えば近距離無線技術に基づく通信ユニットが接続される。この通信ユニットは、出力端子４４の出力電圧または他の電源からの電圧を電源として動作する。さらに、スイッチＳＷのオンによる出力端子４４の電圧変化に応じたデータを送信する構成とされている。
【００４５】
ウェアラブル型送信機３１の回路構成の他の例を図９に示す。発電素子４１と共に、電池例えば１次電池４６が使用される。発電素子４１および１次電池４６の出力がダイオード４５および４７を介して共通に接続される。共通接続点がスイッチ４８を介して通信ユニット５１の電源端子（ＶＤＤ）に接続される。さら、共通接続点と基準電位点（例えば接地）との間に抵抗４９およびコンデンサ５０の直列回路が接続され、抵抗４９およびコンデンサ５０の接続点が通信ユニット５１のイネーブル端子ＥＮに接続される。
【００４６】
スイッチ４８がトグル（オン）されると、通信ユニット５１の電源端子に対して電源が供給される。一方、抵抗４９およびコンデンサ５０の接続点の電位がこれらの素子の時定数で定まる遅れをもって立ち上がる。抵抗４９およびコンデンサ５０の接続点の電位が所定電位以上となると、通信ユニット５１が活性化し、通信ユニット５１がスイッチ４８のトグルの情報を送信する。
【００４７】
通信ユニット５１のイネーブル端子ＥＮが電源電圧より遅れて立ち上がるので、通信ユニット５１の動作を安定に開始することができる。さらに、スイッチ４８がオフした場合、コンデンサ５０に蓄積されている電荷によって、スイッチ４８がオフした時点から所定時間後に、通信ユニット５１の動作が停止する。
【００４８】
図９の構成では、１次電池４６がメインの電源として使用されており、１次電池４６の電圧が低下すると、発電素子４１の電圧が通信ユニット５１の電源として使用される。通信ユニット５１として、例えば近距離無線技術に基づく送受信ＬＳＩを使用することができる。
【００４９】
ウェアラブル型送信機３１の回路構成のさらに他の例を図１０に示す。図８に示す構成と同様に、発電素子４１、ダイオード４２および蓄電素子４３からなる発電部の出力が比較器５２の一方の入力端子に供給される。比較器５２の他方の入力端子には、定電圧源５３からの所定のしきい値電圧が供給される。比較器５２は、例えば発電部の出力電圧がしきい値電圧より大きいと、ハイレベルの出力を発生する。図示を省略しているが、比較器５２の出力が通信ユニットに供給され、通信ユニットから送信される。
【００５０】
図１０の構成によれば、発電素子４１が発電した電力量がしきい値電圧より大きくなると、比較器５２の出力が例えばローレベルからハイレベルに変化する。通信ユニットは、比較器５２の出力の立ち上がりを検出して例えば１個のパルス信号を発生する。このパルス信号に対応するデータが通信ユニットによって送信される。通信ユニットとして、例えば近距離無線技術に基づく送受信ＬＳＩを使用することができる。
【００５１】
「属性の能力の変更」
上述したウェアラブル型送信機をユーザが所有しており、ウェアラブル型送信機からのデータを受信した受信機がサーバに対してデータを送信するシステムが構成される。サーバには、ゲーム上の属性、例えば攻撃力、すばやさ、持久力、魔法力等が登録されている。例えば発電素子が太陽電池の場合、発電素子の発電量が多いことは、ユーザが起きて行動している時間が長いことを表し、ゲーム上の属性例えば攻撃力を高めるように作用する。逆に、発電量が少ないことは、ユーザが寝ている時間が長いことを示し、ゲーム上の属性例えば攻撃力を低めるように作用する。
【００５２】
このような属性に関する機能は、図１１に示す処理によって実現される。図１０に示すような回路構成によって、かかる処理がなされる。ステップＳ２１において、発電素子４１によるコンデンサ４３に対する充電量が定電圧源５３のしきい値電圧以上となると、比較器５２の出力が変化する。比較器５２の出力の変化によって通信ユニットの送信回路が起動する。
【００５３】
ステップＳ２２において、ユーザの持つ携帯端末に対して識別子（ユーザまたは送信機を特定する識別子と、複数の発電部がある場合の発電部の識別子）とアドレス（上述した命令メモリのプログラムメモリアドレス）とが送信される。例えば太陽電池と振動により発電を行う発電部とが設けられる。振動による発電は、振る舞いのすばやさの属性に対応している。ここまでは、送信側の処理である。
【００５４】
携帯端末は、識別子を使用して送信機の認証を行い、受信したアドレスを使用してプログラムメモリに格納されているプログラムを実行する。具体的には、認証が成立すると、ステップＳ２３において、携帯端末からサーバに対してデータ（識別子を含む）を例えば電子メール形式で中継（送信）する。
【００５５】
サーバでは、ステップＳ２４に示すように、携帯端末から受信したデータの基づいてゲーム上の属性の能力を加算する。複数の発電部によって、複数の属性を区別する場合には、発電部を区別する識別子が使用され、識別子に応じた属性の能力が加算される。このようにして、サーバには、１または複数の属性に関する変更がリアルタイムになされる。
【００５６】
「カウントアップアプリケーション」
上述したウェアラブル型送信機をユーザが所有しており、ウェアラブル型送信機からのデータを受信機が受信する。このアプリケーションにおいては、受信機がサーバに対してデータを送信することは、必須ではない。
【００５７】
このようなカウントアップアプリケーションは、図１２のフローチャートに示す処理によって実現される。図７に示すようなウェアラブル型送信機３１と、図１０に示すような回路構成によって、かかる処理がなされる。発電素子４１の出力を使用するので、バッテリを送信機が持つ必要がない。
【００５８】
ステップＳ３１において、発電素子４１によるコンデンサ４３に対する充電量が定電圧源５３のしきい値電圧以上となると、比較器５２の出力が変化する。比較器５２の出力の変化によって通信ユニットの送信回路が起動する。
【００５９】
ステップＳ３２において、ユーザの持つ受信機に対して識別子（ユーザまたは送信機を特定する識別子）とアドレス（上述した命令メモリのプログラムメモリアドレス）とが送信される。
【００６０】
受信機は、識別子を使用してウェアラブル型送信機の認証を行い、受信したアドレスを使用してプログラムメモリに格納されているプログラムを実行する。具体的には、認証が成立すると、ステップＳ３３において、所定のデータに対して加減算等の特定の演算を行う。所定のデータおよび演算の種類は、より具体的なアプリケーションに対応したものである。
【００６１】
「歩数計のアプリケーション」
カウントアップアプリケーションの具体例として歩数計について図１３のフローチャートを参照して説明する。発電素子４１は、歩行によって発電を行うものである。例えば歩行時の振動によって発電を行う振動発電素子である。
【００６２】
発電素子４１を含む送信機を身につけているユーザが歩くと、振動発電で発生した電力によって蓄電素子４３が充電される。ステップＳ４１において、充電量が定電源５３で定まるしきい値以上となると、比較器５２の出力が変化する。比較器５２の出力によって送信回路が起動する。
【００６３】
送信回路によって、ステップＳ４２において、ユーザの持つ受信機に対して識別子（ユーザまたは送信機を特定する識別子）とアドレス（上述した命令メモリのプログラムメモリアドレス）とが送信される。通信方法としては、近距離無線技術に基づくものが使用される。
【００６４】
受信機は、識別子を使用してウェアラブル型送信機の認証を行い、受信したアドレスを使用してプログラムメモリに格納されているプログラムを実行する。具体的には、認証が成立すると、ステップＳ４３において、歩数を示すデータに対して一定値を加算する。例えば充電量が定電源５３で定まるしきい値以上となるための歩数が予め調べられ、その歩数が一定値として使用される。
【００６５】
「リモートコントローラのアプリケーション」
カウントアップアプリケーションの他の例としてリモートコントローラについて図１４のフローチャートを参照して説明する。発電素子４１は、例えば歩行時の振動によって発電を行う振動発電素子である。
【００６６】
発電素子４１を含む送信機を内蔵したリモートコントローラをユーザが振ると、振動発電で発生した電力によって蓄電素子４３が充電される。ステップＳ５１において、充電量が定電源５３で定まるしきい値以上となると、比較器５２の出力が変化する。比較器５２の出力によって送信回路が起動する。
【００６７】
送信回路によって、ステップＳ５２において、被制御機器例えばゲーム機本体に対して識別子（ユーザまたは送信機を特定する識別子）とアドレス（上述した命令メモリのプログラムメモリアドレス）とが送信される。通信方法としては、近距離無線技術に基づくものが使用される。
【００６８】
ゲーム機本体は、識別子を使用してリモートコントローラの認証を行い、受信したアドレスを使用してプログラムメモリに格納されているプログラムを実行する。具体的には、認証が成立すると、ステップＳ５３において、データ受信時間を記憶する。そして、ステップＳ５４において、ある時間以内に一定回数以上のデータを受信すると、データの受信回数に応じた操作をゲーム機本体が実行する。
【００６９】
＜３．第２のアプリケーション＞
次に、本開示の第２のアプリケーションについて説明する。第２のアプリケーションは、送信機からのデータを公衆回線を通じて中継する機能を利用するアプリケーションである。
【００７０】
「緊急時通報のアプリケーション」
本開示の通信システムは、受信機例えば図３に示す受信機１０２が公衆回線への中継機能と位置測定機能とを有している。かかる通信システムによって、緊急時通報の機能を実現することができる。
【００７１】
このような緊急時通報のアプリケーションは、図１５のフローチャートに示す処理によって実現される。図７に示すようなウェアラブル型送信機３１と、図８Ｂに示すような回路構成によって、かかる処理がなされる。発電素子４１の出力を使用するので、バッテリを送信機が持つ必要がない。但し、図９に示すような電池４６を有する構成を使用しても良い。
【００７２】
ステップＳ６１において、ユーザが緊急スイッチをオンにする。例えば図７に示すウェアラブル型送信機３１の場合、指輪状のウェアラブル型送信機３１を指から外すと、スイッチボタン３４が押されている状態から開放され、スイッチボタン３４の動作と対応してスイッチがオンする。このスイッチのオンが緊急信号として携帯端末に対して送信される。
【００７３】
ステップＳ６２において、ユーザの所有している携帯端末または近距離無線によって到達する距離の範囲内の携帯端末が緊急信号を受信する。緊急信号を受信したことが携帯端末の振動、音声、音等によって報知される。緊急信号を受信することができる携帯端末は、ユーザが持っているものに限定されず、他人の携帯端末であっても良い。他人の携帯端末が緊急信号を受信可能とするための認証方法が採用される。
【００７４】
ステップＳ６３において、緊急信号を受信した携帯端末が自動的に操作され、公衆回線を通じて現在位置の位置情報と共に、緊急信号を緊急センターに対して通報する。図３に示す受信機がＧＰＳユニット２６を有しているので、携帯端末の現在位置の情報を緊急センターに対して通報できる。送信機と携帯端末との間の無線通信の到達可能な距離をある程度制限しておくことによって、緊急時通報を行ったユーザの位置を特定することができる。
【００７５】
図３に示す受信機の構成において、緊急信号が受信されると、命令メモリ２３上の特定のアドレスに緊急信号受信フラグがセットされる。ＣＰＵ２２がこのフラグを検知して通信ユニット２５に送信指令と送信データアドレスを送る。通信ユニット２５がセンターに対してコネクションを要求する。コネクションが確立したら、緊急信号を示すデータと現在位置を示すデータとを含む所定のデータが通信ユニット２５から送信される。
【００７６】
緊急信号および位置情報を受信すると、ステップＳ６４において、緊急センターは、送信機（携帯端末）のある場所に救命員を送るなど、適切な処置をする。このような緊急時通報システムは、送信機の操作が簡単で、緊急時でも容易に操作することができる。しかも、他人の携帯端末が緊急信号の中継できるので、自身が携帯端末を持っていない場合、或いは携帯端末を持っているが、電池切れの場合でも、緊急時通報が可能となる利点がある。
【００７７】
「中継量に応じたサービス」
上述した緊急時通報の例のように、他人のデータを中継して公衆回線に送ることを可能とした場合、受信機の受信機の所有者にサービスポイントを付加する。このポイントによって、例えば通信料を値引くといった特典を与えることで、中継システムの普及を促進させることができる。
【００７８】
「実施の形態の効果」
上述した実施の形態は、下記のような効果を奏する。
・送信機の構成を簡単とでき、ウェアラブル型送信機を構成することが容易となる。したがって、発電量に応じて信号を発生し、受信機がこの信号をカウントするようなアプリケーション、例えば歩数計、リモートコントローラ等が容易に実現することができる。
・緊急時通報を行うのに、簡単な構成および処理を行う送信機によって、緊急信号を発生することができるので、送信機を常時携帯するのが容易となり、緊急時でも操作が容易となる。さらに、センターへの緊急時通報は、自身の携帯端末のみならず、他人の携帯端末を使用しても可能であるので、緊急時通報を確実に行うことができる。
【００７９】
なお、本開示は、以下のような構成も取ることができる。
（１）データ送信の開始のトリガーを発生するスイッチおよびデータを送信する機能を持つデータ送信ユニットで構成する送信装置からデータを送信し、
データ受信ユニット、データ処理部およびプログラムメモリによって構成される受信装置がデータを受信し、
前記送受信されるデータが受信装置側のプログラムメモリアドレスまたはアドレスと一意に変換できるコードを含む通信システム。
（２）
前記送信装置が複数の前記スイッチを有し、
前記送受信されるデータが前記スイッチの識別子を含む（１）に記載の通信システム。
（３）
受信した前記アドレス上の命令を前記受信装置側で実行する（１）に記載の通信システム。
（４）
前記アドレスが前記受信装置のデータベース上にあるか否かを照合することによって、送信データを認証する（１）（３）の何れかに記載の通信システム。
（５）
前記識別子と前記アドレスの組が受信装置のデータベース上にあるか否かを照合することによって、送信データを認証する（１）（３）（４）の何れかに記載の通信システム。
（６）
１以上の発電部と、
前記発電部の発電電力が所定のしきい値以上に達すると、動作するスイッチと、
前記スイッチの動作に応じた情報を送信する送信部と
を備える送信装置。
（７）
前記発電部が指輪状である（６）に記載の送信装置。
（８）
前記発電部の内面に指から外すことによって動作するスイッチを設ける（６）（７）の何れかに記載の送信装置。
（９）
前記発電部として、集光レンズを有する太陽電池を配する（６）（７）（８）の何れかに記載の送信装置。
（１０）
前記発電部の発電電力が所定のしきい値以上に達すると、前記発電部に対応するスイッチがスイッチ動作される（６）（７）（８）（９）の何れかに記載の送信装置。
（１１）
１以上の発電部と、
前記発電部の発電電力が所定のしきい値以上に達すると、動作するスイッチと、
前記スイッチの動作に応じた情報を送信する送信部とを備える送信装置と、
前記送信装置からの情報を受信する受信部、または前記受信部からデータが転送される機器において、前記受信した情報に応じて処理を行う受信装置とを有する通信システム。
（１２）
前記発電部が振動によって発電を行い、前記発電部の発電電力が所定のしきい値以上に達すると、前記送信装置が前記受信装置に対してデータを送信し、前記受信装置でデータを受信すると計数データを更新する（１１）に記載の通信システム。
（１３）
前記発電部が振動によって発電を行い、前記発電部の発電電力が所定のしきい値以上に達すると、前記送信装置が前記受信装置に対してデータを送信し、前記受信装置でデータを受信すると、所定時間内に受信したデータ数から制御コマンドを決定する（１１）（１２）の何れかに記載の通信システム。
（１４）
データ送信の開始のトリガーを発生するスイッチおよびデータを送信する機能を持つデータ送信ユニットで構成する送信装置からデータを送信し、
データ受信ユニット、データ処理部およびプログラムメモリによって構成される受信装置がデータを受信し、
前記受信装置が受信したデータを、受信装置側でより情報量の多い所定のデータに変換し、変換したデータネットワークを通じて他の装置に送信する通信システム。
（１５）
前記受信装置が位置情報取得部を有し、前記受信装置が前記位置情報が付加されたデータを前記他の装置に送信し、前記他の装置が前記送信装置の位置を把握する（１４）に記載の通信システム。
（１６）
前記送信装置からの信号は送信装置所有者の緊急信号であり、受信装置が携帯端末であり、
前記受信装置が位置情報取得部を有し、前記受信装置が前記位置情報が付加されたデータを公衆回線を通じて前記他の装置に送信し、前記他の装置が前記送信装置の位置を把握する（１４）（１５）の何れかに記載の通信システム。
（１７）
前記受信装置が中継した回数またはデータ量に応じて、受信装置の所有者にサービスポイントを付与する（１４）（１５）（１６）の何れか記載の通信システム。
【００８０】
以上、本開示の実施形態について具体的に説明したが、上述の各実施形態に限定されるものではなく、本開示の技術的思想に基づく各種の変形が可能である。
【符号の説明】
【００８１】
１１・・・発電部
１２・・・スイッチ
１３・・・送信ユニット
１４・・・受信ユニット
２１・・・通信ユニット
２３・・・命令メモリ
２６・・・ＧＰＳ
３１・・・ウェアラブル型送信機
３４・・・スイッチボタン
４１・・・発電素子
４３・・・蓄電素子
４８・・・スイッチ
ＳＷ・・・スイッチ
【図１】
2013135360.tif 000003
【図２】
2013135360.tif 000004
【図３】
2013135360.tif 000005
【図４】
2013135360.tif 000006
【図５】
2013135360.tif 000007
【図６】
2013135360.tif 000008
【図７】
2013135360.tif 000009
【図８】
2013135360.tif 000010
【図９】
2013135360.tif 000011
【図１０】
2013135360.tif 000012
【図１１】
2013135360.tif 000013
【図１２】
2013135360.tif 000014
【図１３】
2013135360.tif 000015
【図１４】
2013135360.tif 000016
【図１５】
2013135360.tif 000017